(57)【要約】【課題】着物の身体への固定性と安定性が増し、シワや弛みができ難く、後身頃の背中心線を背中の中心に正確に配置でき、後衿の抜きが安定し、着くずれが生じ難く、衿合わせが素早く正確に行え、着付け作業が納得いくまで何度でも安心してやり直しでき、取扱い易く、初心者が一人でも簡単に、正確に、綺麗に、短時間で着付けでき、従来通りの着付けも可能で、サイズが多少大きくても着付けでき、構成簡素で、量産し易く、低廉で、経済的な着物を提供する。【解決手段】後身頃１０の背中心線１１の上部両脇に、中央右側紐通し孔１と中央左側紐通し孔２を形成し、中央右側紐通し孔１の右方に右側紐通し孔３を設け、中央左側紐通し孔２の左方に左側紐通し孔４を設け、紐通し孔１、２、３、４夫々に、一本の中心紐Ａが挿通可能となるよう形成し、上前身頃１２と下前身頃１３の胸上左右には、衿合わせ用の目印となる衿合わせ模様５を設ける。【選択図】　　　　図３
2004011079.tif 000002
【特許請求の範囲】
【請求項１】
礼装用、盛装用、訪問用、外出用の着物であって、後身頃の背中心線の上部両脇に、中央右側紐通し孔と中央左側紐通し孔を形成し、中央右側紐通し孔の右方に右側紐通し孔を設けると共に、中央左側紐通し孔の左方に左側紐通し孔を設け、これら中央右側紐通し孔、中央左側紐通し孔、右側紐通し孔、左側紐通し孔夫々に、一本の中心紐が挿通可能となるよう形成し、上前身頃と下前身頃の胸上左右には、衿合わせ用の目印となる衿合わせ模様を設けたことを特徴とする着物。
【請求項２】
右側紐通し孔を中央右側紐通し孔の右斜下方に配し、左側紐通し孔を中央左側紐通し孔の左斜下方に配したことを特徴とする請求項１記載の着物。
【請求項３】
生地の柄、模様等を利用して左右衿合わせ模様を設けたことを特徴とする請求項１または請求項２記載の着物。
【発明の詳細な説明】
【０００１】
【発明の属する技術分野】
本発明は、主に、礼装用、盛装用、訪問用、外出用（浴衣を含む）の着物（子供用着物も含む）であって、取扱い易くて、初心者が一人でも簡単に、正確に、綺麗に、且つ短時間で着付けでき、着心地も良く、着くずれも生じ難くなるよう工夫した着物に関するものである。
【０００２】
【従来の技術】
従来の着物の着付けとしては、例えば、先に着付けられた長襦袢に添うように着物をかぶせて長襦袢の後衿に着物の衿を合わせて衿止をして固定させた後、着物をたくし上げ、胸前と背中に溜め込み、これを押えながら足元の裾線を揃える。
そして、前合わせを腰骨のラインに合わせ、腰紐を腰上に巻きつける。その後、胸前、背中に溜め込んであったお端折りとなる部分を腰紐に合わせて下に下ろし、次に衿合わせをしてから、胸紐を胸下に巻きつけ、その上から伊達締めを巻いて着付けが終了する。
【０００３】
【発明が解決しようとする課題】
そして、従来の着物の着付けに際しては、一人で着付けをする場合、後身頃の背中心線を背中の中心からズレることなく、衿合わせを任意の位置に決めるのに時間がかかり、また、正確に合わせたにもかかわらず、紐の巻き付け作業中にズレてきてしまい、作業終了時には既に背中心線と衿合わせとが左右にズレていることに気付かず、しかも、衿合わせを形良く直しても、背中心線からズレているため、着心地も悪く、着くずれの原因ともなっていた。
【０００４】
特に、一人で着付ける場合に非常に難しいのが、着物をたくし上げ、胸前と背中に溜め込み、これを押えながら足元の裾線を揃え、そして、前合わせを腰骨のラインに合わせて、腰紐を腰上に巻きつける作業であり、このとき、腰紐を巻く位置がズレていたり、巻きつける力が緩かったりすると、例えば、お端折りを引出す際に、腰紐が緩んでしまうことがあり、これが着くずれの一因ともなっていた。
更に、貸衣装等を利用するような場合に於いて、着物のサイズが身体より多少大きいような場合、その着付けがより難しいものとなる難点があった。
【０００５】
また、着物の背中心線を身体の中心に合わせるときは、従来は衿先等の端部を合わせて確認するようにしているが、衿元をクロスさせることにより一方の端部が見えなくなり、或いは、衿自体の長さが仕付けのときにズレていたりして、着物の背中心線を身体の中心に合わせるのが、以外と難しい難点もあった。
ひいては、前述の如き着付けの難しさ等から、一人で着付けを行う場合も、着付け師によって着付けを行う場合に於いても、熟練を要することとなり、民族衣装でもある着物を着用する人や、着用する機会が少なくなっており、着物文化が一部の人達だけによって受け継がれるようになる深刻な問題がある。
【０００６】
【課題を解決するための手段】
そこで、本発明は、前述の如き難点等の解消をるのは勿論のこと、シワや弛みができ難く、着くずれが生じ難く、体裁の良い着付けが行え、取扱い易く、初心者が一人でも簡単に、正確に、綺麗に、短時間で着付けでき、着心地も良く、ひいては、着物の普及に役立ち、しかも、構成簡素で、量産し易く、低廉で、経済的な着物を提供すべく創出されたものである。
【０００７】
しかして、請求項１記載の着物にあっては、礼装用、盛装用、訪問用、外出用の着物であって、後身頃１０の背中心線１１の上部両脇に、中央右側紐通し孔１と中央左側紐通し孔２を形成し、中央右側紐通し孔１の右方に右側紐通し孔３を設けると共に、中央左側紐通し孔２の左方に左側紐通し孔４を設け、これら中央右側紐通し孔１、中央左側紐通し孔２、右側紐通し孔３、左側紐通し孔４夫々に、一本の中心紐Ａが挿通可能となるように形成し、上前身頃１２と下前身頃１３の胸上左右には、衿合わせ用の目印となる衿合わせ模様５を設ける手段を採用した。
【０００８】
また、請求項２記載の着物にあっては、右側紐通し孔３を中央右側紐通し孔１の右斜下方に配し、左側紐通し孔４を中央左側紐通し孔２の左斜下方に配する手段を採用した。
【０００９】
更に、請求項３記載の着物にあっては、生地の柄、模様等を利用して左右衿合わせ模様５を設ける手段を採用した。
【００１０】
【発明の実施の形態】
以下、本発明を図示例に基づいて説明すると、次の通りである。
本発明は、主に、礼装用の着物（例えば、黒留袖、色留袖、本振袖、振袖、中振袖等）や、盛装用の着物（例えば、色無地、裾模様、付け下げ、訪問着、絵羽模様の絞り等）や、訪問用、外出用の着物（例えば、友禅模様、縞模様、江戸小紋、お召し、細無地、絣等）等が、一人でも簡単に着付けできるようにしたもので、具体的には、後身頃１０の背中心線１１の上部両脇に、中心紐Ａが挿通可能となる中央右側紐通し孔１と中央左側紐通し孔２を形成し、中央右側紐通し孔１の右斜下方に中心紐Ａが挿通可能となる右側紐通し孔３を設けると共に、中央左側紐通し孔２の左斜下方に中心紐Ａが挿通可能となる左側紐通し孔４を設ける。そして、これら中央右側紐通し孔１、中央左側紐通し孔２、右側紐通し孔３、左側紐通し孔４夫々には、一本の中心紐Ａを挿通できるように構成されている。すなわち、一本の中心紐Ａは、中央右側紐通し孔１と右側紐通し孔３との間、及び中央左側紐通し孔２と左側紐通し孔４との間では、後身頃１０の表面がわに露出し、中央右側紐通し孔１と中央左側紐通し孔２との間、及び中央右側紐通し孔１から先にある中心紐Ａの一端がわ部分、及び中央左側紐通し孔２から先にある中心紐Ａの他端がわ部分は、後身頃１０の裏面がわに位置するように形成されている（図３参照）。
【００１１】
更に、前記中央右側紐通し孔１、中央左側紐通し孔２、右側紐通し孔３、左側紐通し孔４が設けてある部分には、例えば、適宜帯状布芯地等がその裏面がわ（着物と胴裏の間）に縫着手段（或いは接着手段）によって設けられており、夫々の孔縁部分の強度を高めて、孔縁部分が損傷せず、しかも、外観上の体裁も損なわれないように形成されている。
尚、布芯地等は、小さく形成したものを着物の所定位置（紐通し孔１、２、３、４部分夫々）に、縫着手段（或いは、接着手段）によって設けておいても良い。また、浴衣のように胴裏のないものは、体裁が良くなるように着物（浴衣）と同じ生地を着物の裏面に縫着手段（或いは接着手段）によって設けても良い。ところで、孔縁部分は、解れないようにしっかり縫い付けるようにしておくのが望ましい。
【００１２】
加えて、前記中央右側紐通し孔１、中央左側紐通し孔２、右側紐通し孔３、左側紐通し孔４は、後身頃１０の背中心線１１上に於ける上部（例えば、身八ツ口幅内）に形成されている。すなわち、伊達締めＦを締めた時に、これら紐通し孔１、２、３、４や、中心紐Ａが隠れるように形成されている。
【００１３】
そして、中央右側紐通し孔１と中央左側紐通し孔２は、比較的接近した間隔を隔てて穿設されており、中心紐Ａが略水平に通せるように形成されている。
しかも、右側紐通し孔３と左側紐通し孔４は、中央右側紐通し孔１や中央左側紐通し孔２から比較的離れた位置に穿設されており、中央右側紐通し孔１と右側紐通し孔３の間、及び中央左側紐通し孔２と左側紐通し孔４の間に於いて、中心紐Ａが略水平の状態で、或いは、略斜下がりの状態で通せるように形成されている。
【００１４】
また、上前身頃１２と下前身頃１３の胸上左右の対称位置には、衿合わせ用の目印となる衿合わせ模様５が設けてある。尚、この左右の衿合わせ模様５は、着物の生地自体の地柄模様や絵柄模様等を利用して設けたものであっても良いし、刺繍や、プリント手段等のように着物の生地に後から付加したものであっても良いし、その他適宜手段を採用できるものである。
【００１５】
前記中心紐Ａは、予め着付けをする人の体型等に合わせて、その長さ調節が簡単に行えるものや、或いは、予め着付けをする人の体型等に合わせて、その長さが設定されているもの等が利用され、着付け作業がより容易に行えるように配慮してある。尚、中心紐Ａは、従来使用されている紐であっても良い。
【００１６】
ところで、着物の具体的構成、形状、材質、各部寸法、中央右側紐通し孔１の具体的構成、形状、寸法、配設位置、中央左側紐通し孔２の具体的構成、形状、寸法、配設位置、右側紐通し孔３の具体的構成、形状、寸法、配設位置、左側紐通し孔４の具体的構成、形状、寸法、配設位置、衿合わせ模様５の具体的構成、形状、寸法、配設位置、中心紐Ａの具体的構成、形状、寸法、材質等は、図示例のもの等に限定されることなく、適宜自由に設定、変更できるものである。
【００１７】
本発明の着物は、前述の如く構成されており、次にその使用例について説明すると、先ず、中心紐Ａを紐通し孔１、２、３、４に予め通しておく。そして、鏡の前に立ち、着物の袖を通し、着なりの状態で中心紐Ａの両端部分を緩く結んでおく。それから、着物を長襦袢Ｃに添わせ、衿合わせ模様５の位置を確認しながら着物の背中心線１１の位置を決定し、適宜衿止具６を利用してその状態を維持する。その後、緩く結んでおいた中心紐Ａの両端部分を長襦袢Ｃの伊達締めＢの上でしっかりと結んで、着物の背中心線１１が身体の中心からズレないようにする。
【００１８】
次に、裾線を合わせ、腰骨線に沿って前合わせすると共に、お端折り部分を上に上げた状態で腰紐Ｄを巻いて結ぶ（図５、図６参照）。
尚、腰紐Ｄを巻く前に、仮紐を腰紐Ｄを巻く位置より僅か下方に巻いて結び、お端折り部分を丁寧に上げてから腰紐Ｄを巻いて結ぶようにすると、初心者でもより正確で、綺麗な着付けが可能となる。
【００１９】
それから、衿合わせをして、お端折りを下ろして胸紐Ｅを巻いて結び（図７、図８参照）、最後に伊達締めＦを巻いて着付けが終了となる（図９参照）。
【００２０】
【発明の効果】
従って、請求項１記載の着物は、礼装用、盛装用、訪問用、外出用の着物であって、後身頃１０の背中心線１１の上部両脇に、中央右側紐通し孔１と中央左側紐通し孔２を形成し、中央右側紐通し孔１の右方に右側紐通し孔３を設けると共に、中央左側紐通し孔２の左方に左側紐通し孔４を設け、これら中央右側紐通し孔１、中央左側紐通し孔２、右側紐通し孔３、左側紐通し孔４夫々に、一本の中心紐Ａが挿通可能となるよう形成し、上前身頃１２と下前身頃１３の胸上左右には、衿合わせ用の目印となる衿合わせ模様５を設けたので、中心紐Ａを、中央右側紐通し孔１と中央左側紐通し孔２と右側紐通し孔３と左側紐通し孔４とに通すことができるようになり、この中心紐Ａの両端部分を身体の前で結んで緊定することで、着物の身体への固定性と安定性が増すようになり、後身頃１０等にシワや弛みができ難いものとなる。ひいては、従来難しかった前合わせとお端折りが簡単に且つ綺麗に整えられるようになる。
更に、着物のサイズが身体より多少大きい場合であっても（例えば、貸衣装等を利用するような場合）、中心紐Ａの両端部分を身体の前でしっかり結ぶことで、着物の後身頃１０の紐通し孔１、２、３、４部分が身体へ安定的に固定（緊定）されるようになり、前合わせやお端折りが比較的簡単に、綺麗に、且つ短時間で整えられるようになり、着くずれし難いものとなる。
加えて、前記紐通し孔１、２、３、４に中心紐Ａを通さないようにすることで、従来からある着物のように着付けることも可能な着物となる。
【００２１】
また、上前身頃１２と下前身頃１３の胸上左右には、衿合わせ用の目印となる衿合わせ模様５を設けたので、衿合わせ模様５を目印にして合わせることで、後身頃１０の背中心線１１を背中の中心に正確に配置できるようになり、従来のように後を振り向いて背中心線１１の位置を確認する必要が無いものとなる。
しかも、左右の衿合わせをズレることなく正確に且つ短時間で行えるようになる。
加えて、背中心線１１の有無やその設け方如何にかかわらず、その位置合わせが正確に行えるものとなり、ひいては、従来からある着物と異なるような新しいタイプの着物にも対応できるものとなる。
【００２２】
特に、紐通し孔１、２、３、４に通した中心紐Ａと、衿合わせ模様５とによって、後身頃１０の背中心線１１を背中の中心に正確に配置した状態のままで、着物の身体への固定性と安定性が確実に維持できるようになるため、それ以降の着物の着付け作業が納得いくまで何度でも安心してやり直すことができるようになる。ひいては、万一腰紐Ｄや帯等が、弛んだり解けたりしても簡単に着付けをやり直せるものとなる。
【００２３】
しかして、取扱い易く、初心者が一人でも簡単に、正確に、綺麗に、且つ短時間で着付けでき、着心地も良く、着くずれも生じ難く、しかも、構成が簡素で、量産し易く、比較的低廉に提供できる経済的な着物となる。ひいては、着物自体の着用が増え、着物の普及に役立つものとなる。
【００２４】
また、請求項２記載の着物は、右側紐通し孔３を中央右側紐通し孔１の右斜下方に配し、左側紐通し孔４を中央左側紐通し孔２の左斜下方に配したので、中央右側紐通し孔１と中央左側紐通し孔２と右側紐通し孔３と左側紐通し孔４とを通した中心紐Ａで緊定したときに、中央右側紐通し孔１と中央左側紐通し孔２部分を下方に引き下げる作用を生じた状態で固定されるようになり、後衿の抜きが安定して、体裁の良い着付けが行えるようになる。
【００２５】
更に、請求項３記載の着物は、生地の柄、模様等を利用して左右衿合わせ模様５を設けたので、着物自体が自然であって、外観上の体裁を損なう虞れのないものとなる。
【００２６】
以上説明したように本発明によれば、着物を熟練や補助器具等を要することなく一人で簡単に、確実に且つ短時間で着付けできるようになり、民族衣装でもある着物を着用する人や、着用する機会がより増えるようになり、着物の普及が図れ、着物文化を永く伝えられるようになる。
【図面の簡単な説明】
【図１】本発明の着物を例示する背面図である。
【図２】本発明の着物を例示する正面図である。
【図３】本発明の着物の使用状態例を示す背面図である。
【図４】本発明の着物の使用状態例を示す正面図である。
【図５】本発明の着物の使用状態例を示す正面図である。
【図６】本発明の着物の使用状態例を示す背面図である。
【図７】本発明の着物の使用状態例を示す正面図である。
【図８】本発明の着物の使用状態例を示す背面図である。
【図９】本発明の着物の使用状態例を示す正面図である。
【符号の説明】
１　　　中央右側紐通し孔　　　　　　　２　　　中央左側紐通し孔
３　　　右側紐通し孔　　　　　　　　　４　　　左側紐通し孔
５　　　衿合わせ模様　　　　　　　　　６　　　衿止具
１０　　後身頃　　　　　　　　　　　　１１　　背中心線
１２　　上前身頃　　　　　　　　　　　１３　　下前身頃
Ａ　　　中心紐　　　　　　　　　　　　Ｂ　　　伊達締め
Ｃ　　　長襦袢　　　　　　　　　　　　Ｄ　　　腰紐
Ｅ　　　胸紐　　　　　　　　　　　　　Ｆ　　　伊達締め
【図１】
2004011079.tif 000003
【図２】
2004011079.tif 000004
【図３】
2004011079.tif 000005
【図４】
2004011079.tif 000006
【図５】
2004011079.tif 000007
【図６】
2004011079.tif 000008
【図７】
2004011079.tif 000009
【図８】
2004011079.tif 000010
【図９】
2004011079.tif 000011
【手続補正書】
【提出日】平成14年7月10日(2002.7.10)
【手続補正１】
【補正対象書類名】明細書
【補正対象項目名】０００６
【補正方法】変更
【補正の内容】
【０００６】
【課題を解決するための手段】
そこで、本発明は、前述の如き難点等の解消を図るのは勿論のこと、シワや弛みができ難く、着くずれが生じ難く、体裁の良い着付けが行え、取扱い易く、初心者が一人でも簡単に、正確に、綺麗に、短時間で着付けでき、着心地も良く、ひいては、着物の普及に役立ち、しかも、構成簡素で、量産し易く、低廉で、経済的な着物を提供すべく創出されたものである。